(57)【要約】【課題】他種のカードから加えられた衝撃による変形や損傷から端子を保護可能な端子保護機能付カードアダプターを提供する。【解決手段】前端に位置する開口部１６と、ハウジング１１内部に延伸する少なくとも二組の端子１８とを有し、両側壁に上下方向に沿うレール１９を有し、底面に設置部１２１を有し、第一組の端子１８１はハウジング１１内の後端に位置付けられ、第二組の端子１８２はハウジング１１内の底部に位置付けられ胴部は上へ弾性的に跳ね上がり末端に接触部１８３が形成されるハウジング１１と、両端に上下のスライドを可能にするレール１９に装着されるガイド部２２を有し、前端に斜面２４を有し、ボディーに穿孔２６を複数有する圧制板２１とを備え、第二組の端子１８２の胴部は上向きに圧制板２１の底面に突き当たり、接触部１８３は下から上へ穿孔を貫通し、圧制板２１の上方に露出する。【選択図】図４
0003118589.tif 000002
【実用新案登録請求の範囲】
【請求項１】
前端に位置する開口部と、ハウジングに配置されかつハウジング内部に延伸する少なくとも二組の端子とを有し、両側壁に上下方向に沿うレールを有し、底面に設置部を有し、端子のうち第一組の端子はハウジング内の後端に位置付けられ、第二組の端子はハウジング内の底部に位置付けられ、かつ第二組の端子の胴部は上へ弾性的に跳ね上がり、その末端に接触部が形成されるハウジングと、
両端に上下をスライド可能であるように二つのレールに装着されるガイド部を有し、前端に斜面を少なくとも一つ有し、ボディーに穿孔を複数有する圧制板とを備え、
前記第二組の端子の胴部は上向きに圧制板の底面に突き当たり、接触部は下から上へ穿孔を貫通し、圧制板の上方に露出することを特徴とする端子保護機能付カードアダプター。
【請求項２】
斜面は圧制板の前端から前、下に伸びて形成されることを特徴とする請求項１に記載の端子保護機能付カードアダプター。
【請求項３】
ハウジングは基座と蓋板とから構成されることを特徴とする請求項１に記載の端子保護機能付カードアダプター。
【請求項４】
第二組の端子は接触部の末端を曲げて形成される支持部を有し、支持部は下から上へ圧制板の底面に突き当たることを特徴とする請求項１に記載の端子保護機能付カードアダプター。
【請求項５】
圧制板の両側のガイド部は二つに分かれた凸耳部であり、レールは二つの平行する凹槽であり、ガイド部はレール内に装着されることを特徴とする請求項１に記載の端子保護機能付カードアダプター。
【請求項６】
二つのレールは終止点を有し、圧制板は第二組の端子から支持され上へ起き上がり、かつ二つのガイド部により二つの終止点に突き当たることを特徴とする請求項１に記載の端子保護機能付カードアダプター。
【請求項７】
圧制板は底面に多数個の凹槽を有し、第二組の端子は前記凹槽に装着されることを特徴とする請求項１に記載の端子保護機能付カードアダプター。
【請求項８】
第一組の端子はＭＳ（Memory Stick）規格のメモリカード、第二組の端子はＸＤ（Extreme Digital）規格のメモリカードに対応することを特徴とする請求項１に記載の端子保護機能付カードアダプター。
【考案の詳細な説明】
【技術分野】
【０００１】
本考案は、電子装置、詳しく言えば端子保護機能付カードアダプターに関するものである。
【背景技術】
【０００２】
周知のマルチカードアダプターは複数組の端子を有し、端子はハウジングの中に延伸し、かつ各規格のメモリカードの接触端部に対応するように位置することで多種規格のカードに適用可能である。
しかし、前記周知のカードアダプターはすべての端子がハウジング内に延伸するため、カードが挿入される際、カードに対応しない端子を摩擦するか或いは端子が衝撃を受けて変形してしまうことがある。したがって、カードの書き込みと読み取りがその影響をうけてしまう恐れがある。この問題点に鑑みて、マルチカードアダプターの業界において如何に端子を保護するかということが最も解決すべき課題となっている。
【０００３】
周知の端子保護技術では、アメリカ合衆国特許ＵＳ６，６４１，４１３号により掲示されるように、カードアダプター内をスライド可能なスライド部を有し、かつ端子圧制技術によりカードアダプターのＳＤ／ＭＭＣカードに対応する端子を圧制することで、ＭＳカードを挿入する際、それらの端子に衝突することを防止可能である。
それに対し、本考案者が考案したカードアダプター内部の端子を保護可能な技術はカードアダプター内の端子を保護可能であるだけでなく、その技術と構造が周知のアメリカ合衆国の特許案と異なるものである。
【考案の開示】
【考案が解決しようとする課題】
【０００４】
本考案の主な目的は、他種のカードから加えられた衝撃による変形や損傷から端子を保護可能な端子保護機能付カードアダプターを提供することである。
本考案のもう一つの目的はカードアダプター内の特定の端子を選択しそれを圧制する効果を有する端子保護機能付カードアダプターを提供することである。
【課題を解決するための手段】
【０００５】
上述の目的を達成するために、本考案による端子保護機能付カードアダプターは、ハウジングと圧制板を備える。そのうちハウジングは、前端に位置する開口部と、ハウジングに配置されかつハウジング内部に延伸する少なくとも二組の端子を有する。端子のうち第一組の端子はハウジング内の後端に位置付けられ、第二組の端子はハウジング内の底部に位置付けられ、第二端子の胴部は上へ弾性的に跳ね上がり、その末端に接触部が形成される。またハウジングは両側壁に上下方向に沿うレールを有し、底面に設置部を有する。圧制板は、両端に上下をスライド可能であるように二つのレールに装着されるガイド部を有し、前端に斜面を少なくとも一つ有し、そのボディーに穿孔を複数有する。第二組の端子の胴部は上向きに圧制板の底面に突き当たり、接触部は下から上へ穿孔を貫通し、圧制板の上方に露出する。
本考案は圧制板の昇降動作により第二組の端子を圧制することにより特定の端子を選択しそれを圧制するものであるため、規格が異なるカードから衝撃を受けたり変形したりしてしまうことと、規格が異なるカードを挿入した際に端子の間に短絡が生じる問題を防止可能である。したがって、端子を保護する効果を達成可能となる。
【考案を実施するための最良の形態】
【０００６】
以下、本考案の実施例による端子保護機能付カードアダプターの構造と特徴を図面に基づいて説明する。まず図面の説明は次の通りである。
図１は本考案の第一実施例による端子保護機能付カードアダプターの斜視図である。
図２は本考案の第一実施例による端子保護機能付カードアダプターの分解斜視図である。
図３は蓋板を取り外した際の本考案の第一実施例による端子保護機能付カードアダプターの内部状態を示す模式図である。
図４は図３の断面図である。
【０００７】
図５は本考案の第一実施例の動作によりＭＳカードが挿入され圧制板の斜面に突き当たる状態を示す模式図である。
図６は本考案の第一実施例のもう一つの動作によりＭＳカードが完全に挿入された状態を示す模式図である。
図７は本考案の第一実施例のまたもう一つの動作によりＸＤカードが完全に挿入された状態を示す模式図である。
図８は本考案の第二実施例による端子保護機能付カードアダプターの分解斜視図である。
【０００８】
図１から図４に示すように、本考案の第一実施例による端子保護機能付カードアダプター１０はハウジングと圧制板とを備える。
ハウジング１１は、基座１２と蓋板１４とから構成され、ハウジング１１はカードの挿入に用いられるように前端に位置する開口部１６と、多数個の端子から構成され基座１２に配置されかつ基座１２と蓋板１４との間に延伸する少なくとも二組の端子１８とを有し、端子１８のうち第一組の端子１８１はＭＳ（Memory Stick）規格のメモリカードに対応するように基座１２の後端に位置付けられ、第二組の端子１８２はＸＤ（Extreme Digital）規格のメモリカードに対応するように基座１２の頂面に位置付けられる。また第二組の端子１８２の胴部は上へ弾性的に跳ね上がり、その末端に接触部１８３が形成される。また第二組の端子１８２は接触部１８３の末端を曲げて形成される支持部１８４を有し、基座１２は両側壁に上下方向に沿うレール１９を有する。レール１９は二つの平行する凹槽で、終止点１９１を有する。また基座１２は頂面に設置部１２１を有する。
【０００９】
圧制板２１の両端にはガイド部２２を有し、ガイド部２２は二つに分かれた凸耳部で、上下をスライド可能であるようにレール１９内に装着される。圧制板２１の前端には斜面２４を少なくとも一つ有し、斜面２４は圧制板２１の前端から前、下に伸びて形成される。圧制板２１のボディーには穿孔２６を複数有する。第二組の端子１８２はその胴部と支持部１８４とが上向きに圧制板２１の底面に突き当たることにより圧制板２１を起き上がらせることが可能である。また二つのガイド部２２が二つの終止点１９１に突き当たるように位置付けられる際、接触部１８３は下から上へ穿孔２６を貫通し、圧制板２１の上方に露出する。また圧制板２１が降下すると設置部１２１内に位置する。
【００１０】
図４に示すように、端子保護機能付カードアダプター１０にカードを挿入する前に、圧制板２１は第二組の端子１８２が上に跳ね上がる力から支持され起き上がり、かつ二つの終止点１９１により上昇を停止する。
図５に示すように、端子保護機能付カードアダプター１０にＭＳカード９１を挿入する際、ＭＳカード９１の前端は斜面２４に突き当たる。ＭＳカード９１を持続的に前進させる際、斜面２４は下へ押し付けられ、圧制板２１は二つのレール１９に沿い降下することで第二組の端子１８２を下向きに圧制する。図６に示すように、ハウジング１１内の末端までＭＳカード９１を持続的に前進させ、第一組の端子１８１に接触させると、挿入動作が完了する。このとき圧制板２１はＭＳカード９１から圧制され設置部１２１内に降下し、第二組の端子１８２の接触部１８３はＭＳカード９１に接触することなく完全に設置部１２１内に圧制される。これにより、ＭＳカード９１を挿入する過程では第二組の端子１８２に接触することがないため、衝突するか或いは端子が壊れてしまうか或いは端子の間に短絡が生じるという事態が発生しないことが判明した。
【００１１】
ＭＳカード９１を抜き出すステップは前述の動作の順番と逆である。ＭＳカード９１が抜き出され、図５に示すような状態を呈する際、第二組の端子１８２は圧制されている状態を呈する。ＭＳカード９１が持続的に後退し、図５に示すような状態を呈する際、圧制板２１は解放され、第二組の端子１８２の上を向く弾力作用を受けることで起き上がる。この時、ＭＳカード９１の底面は第二組の端子１８２と完全に分離するため、第二組の端子１８２に接触するか衝突するという事態が発生しない。これにより、ＭＳカード９１を抜き出す過程では第二組の端子１８２に接触するか衝突するという事態が発生しないため、端子保護効果を達成可能であることが判明した。
【００１２】
図７に示すように、端子保護機能付カードアダプター１０にＸＤカード９２を挿入する際、ＸＤカード９２の下方に隙間があるため、圧制板２１の前端の斜面２４は作用せず、圧制板２１が圧制されて降下する事態が発生せず、第二組の端子１８２は下へ押し付けられることなく、直接ＸＤカード９２に接触する。
図８に示すように、本考案の第二実施例による端子保護機能付カードアダプター３０はほぼ前記第一実施例と同じである。その違いは圧制板４１の底面に多数個のガイド槽４８を有し、第二組の端子３８２がこれらのガイド４８に装着されることである。
【００１３】
第二実施例の操作方法は前記第一実施例と同じであるため、詳しい説明を省く。また圧制板４１が昇降する過程では、ガイド槽４８により第二組の端子３８２を位置制限するため、第二組の端子３８２が作動する過程では、接触部３８３は圧制板４１の穿孔４６を正確に狙うように保持される。したがって圧制板４１が上昇する過程では接触部３８３が穿孔４６に照準を合わせず、嵌ることができないという問題を防止することが可能となる。
【００１４】
上述したものをまとめてみると、本考案の実施例の長所は次の通りである。
一、端子を保護可能である。本考案の実施例では、ＭＳカード９１を挿入する過程において、ＸＤカード９２に対応する端子（即ち第二組の端子）を下へ押し付けることでＭＳカード９１と衝突することを防止するため、第二組の端子は衝撃を受けたり変形したりすることなく保護されるとともに、カードアダプターの使用上の信頼性も確保される。
二、選択的に端子を圧制する。本考案の実施例では、ＭＳカード９１が挿入された際、第二組の端子を圧制し、ＸＤカード９２が挿入された際、第二組の端子を圧制せずそれらを接触させる。したがって、特定のカードを挿入する際に特定の端子を選択しそれを圧制することで保護効果を達成することが可能となる。また金属ハウジングのＭＳカード９１が挿入された際、第二組の端子の間に短絡が生じる問題を防止することも可能となる。
三、作動行程が短い。前述のアメリカ合衆国の特許案が挙げたスライド部は、所定の距離をスライドしないとＳＤカードの端子を上昇させないのに対し、本考案の実施例では、直接圧制板を降下させ、端子を圧制することで端子を選択するという効果を達成する。両者を比べてみると、本考案の実施例のほうが圧制板を下へ押し付ける行程が短く、構造が簡単で、精密度を制御しやすい。
本考案の実施例が挙げたＭＳカード９１とＸＤカード９２についての説明は一例に過ぎないため、本考案を上記規格のカードに限定することができない。また本考案と類似する構造を他種のカードに適用する場合も本考案の請求範囲に属すべきである。
【図面の簡単な説明】
【００１５】
【図１】本考案の第一実施例による端子保護機能付カードアダプターの斜視図である。
【図２】本考案の第一実施例による端子保護機能付カードアダプターの分解斜視図である。
【図３】蓋板を取り外した際の本考案の第一実施例による端子保護機能付カードアダプターの内部状態を示す模式図である。
【図４】図３の断面図である。
【図５】本考案の第一実施例の動作によりＭＳカードが挿入され圧制板の斜面に突き当たる状態を示す模式図である。
【図６】本考案の第一実施例のもう一つの動作によりＭＳカードが完全に挿入された状態を示す模式図である。
【図７】本考案の第一実施例のまたもう一つの動作によりＸＤカードが完全に挿入された状態を示す模式図である。
【図８】本考案の第二実施例による端子保護機能付カードアダプターの分解斜視図である。
【符号の説明】
【００１６】
１０  端子保護機能付カードアダプター、１１  ハウジング、１２  基座、１２１  設置部、１４  蓋板、１６  開口部、１８  端子、１８１  第一組の端子、１８２  第二組の端子、１８３  接触部、１８４  支持部、１９  レール、１９１  終止点、２１  圧制板、２２  ガイド部、２４  斜面、２６  穿孔、３０  端子保護機能付カードアダプター、３８２  第二組の端子、３８３  接触部、４１  圧制板、４６  穿孔、４８  ガイド槽
【図１】
0003118589.tif 000003
【図２】
0003118589.tif 000004
【図３】
0003118589.tif 000005
【図４】
0003118589.tif 000006
【図５】
0003118589.tif 000007
【図６】
0003118589.tif 000008
【図７】
0003118589.tif 000009
【図８】
0003118589.tif 000010